(57)【特許請求の範囲】
【請求項１】
通信回線に接続する回線接続部と、
広告を表示する広告表示部と、
各種設定にかかる設定情報を入力許容する設定入力部と、
各種情報を記憶する記憶部と、
前記各部を制御する制御部とを備えた写真シール作成装置と、
前記通信回線を介して前記写真シール作成装置と接続するサーバーとで構成した広告表示システムであって、
前記サーバーに、
前記写真シール作成装置へ配信する広告データと、該広告データの各種情報を示す広告属性情報とを関連付けて記憶する広告データ記憶部を備え、
前記写真シール作成装置に、
利用者が操作して撮影モードの選択入力を入力許容するモード選択入力部を備え、
前記写真シール作成装置の制御部に、
前記モード選択入力部で入力した撮影モードから利用者層を判別する利用者層判別処理と、
新規広告データの有無を前記サーバーに問い合わせて、新規広告データがあれば、前記サーバーから新規広告データを取得して、前記記憶部に記憶する広告データ取得処理と、
前記広告表示部に前記広告属性情報に基づいて広告データを表示する広告表示処理とを備えた
広告表示システム。
【請求項２】
前記広告表示処理を、
前記利用者層に基づいて選択した前記広告データを前記広告表示部に表示する構成とした
請求項１に記載の広告表示システム。
【請求項３】
前記写真シール作成装置の前記制御部に、
前記利用者層に基づいて前記設置属性情報テーブルの前記設置属性情報を修正登録するフィードバック処理を備えた
請求項１または２に記載の広告表示システム。
【請求項４】
前記サーバーの前記広告データ記憶部、もしくは前記写真シール作成装置の前記記憶部のどちらか一方に、
前記写真シール作成装置の所定の設置条件を示す設置属性情報を登録する設置属性情報テーブルを備え、
前記広告データ取得処理、及び前記広告表示処理の少なくとも一方を、
前記設置属性情報テーブルに基づいて行う構成とした
請求項１から３のいずれか１つに記載の広告表示システム。
【請求項５】
前記写真シール作成装置の前記広告データ取得処理を、
前記写真シール作成装置の前記記憶部に記憶した前記設置属性情報テーブルに基づいて新規広告データの有無を前記サーバーに問い合わせて、前記サーバーから新規広告データを取得する構成とした
請求項４に記載の広告表示システム。
【請求項６】
前記設置属性情報テーブルを
複数の写真シール作成装置の設置属性情報を登録可能な構成とし、
前記写真シール作成装置の前記広告データ取得処理を、
新規広告データの有無を前記サーバーに問い合わせて、前記サーバーにおいて、前記広告データ記憶部に記憶された前記設置属性情報テーブルに基づいて、各写真シール作成装置に応じて選択された新規広告データを前記サーバーから取得する構成とした
請求項４に記載の広告表示システム。
【請求項７】
前記広告表示処理を、
前記写真シール作成装置の前記記憶部に記憶した前記設置属性情報テーブルに基づいて選択した前記広告データを前記広告表示部に表示する構成とした
請求項４から６のいずれか１つに記載の広告表示システム。
【請求項８】
前記写真シール作成装置の前記記憶部に、
前記広告データを表示する頻度を示す頻度属性情報を前記広告データに関連付けて記憶し、
前記広告表示処理を、
前記頻度属性情報に基づいて前記広告データを前記広告表示部に表示する構成とした
請求項１から７のいずれか１つに記載の広告表示システム。
【請求項９】
前記写真シール作成装置に、
前記広告データに対する利用者の選択情報を入力許容する選択入力部を備え、
前記写真シール作成装置の記憶部に、
前記選択入力部で入力された選択情報を記憶し、
前記写真シール作成装置の制御部に、
前記選択情報を集計した集計情報を前記サーバーに送信する集計情報送信処理を備えた
請求項１から８のいずれか１つに記載の広告表示システム。
【請求項１０】
通信回線に接続する回線接続部と、広告を表示する広告表示部と、各種設定にかかる設定情報を入力許容する設定入力部と、各種情報を記憶する記憶部と、前記各部を制御する制御部とを備えた写真シール作成装置と、
前記通信回線を介して前記写真シール作成装置と接続するサーバーとで構成した広告表示システムを用いて、
前記サーバーの広告データ記憶部で、
前記写真シール作成装置へ配信する広告データと、該広告データの各種情報を示す広告属性情報とを関連付けて記憶し、
前記写真シール作成装置の制御部において、
前記写真シール作成装置に備えたモード選択入力部を利用者が操作して選択入力した撮影モードから利用者層判別処理により利用者層を判別し、
広告データ取得処理により、新規広告データの有無を前記サーバーに問い合わせて、新規広告データがあれば、前記サーバーから新規広告データを取得して、前記記憶部に記憶し、
広告表示処理により、前記広告表示部に前記広告属性情報に基づいて広告データを表示する
広告表示方法。
【請求項１１】
通信回線に接続する回線接続部と、広告を表示する広告表示部と、各種設定にかかる設定情報を入力許容する設定入力部と、各種情報を記憶する記憶部と、前記各部を制御する制御部とを備えた写真シール作成装置と、
該写真シール作成装置へ配信する広告データと、該広告データの各種情報を示す広告属性情報とを関連付けて記憶する広告データ記憶部を備え、前記通信回線を介して前記写真シール作成装置と接続するサーバーとで構成した広告表示システムを用いて、
前記写真シール作成装置の制御部に、
前記写真シール作成装置に備えたモード選択入力部を利用者が操作して選択入力した撮影モードから利用者層を判別するステップと、
新規広告データの有無を前記サーバーに問い合わせて、新規広告データがあれば、前記サーバーから新規広告データを取得して、前記記憶部に記憶するステップと、
前記広告表示部に前記広告属性情報に基づいて広告データを表示するステップとを実行させる
広告表示プログラム。
【発明の詳細な説明】
【技術分野】
【０００１】
この発明は、例えば、写真シール作成装置の利用者が待ち時間に視聴できるよう筐体に設けた表示装置に広告を表示するような広告表示システムに関する。
【背景技術】
【０００２】
従来、利用者が被写体となって自らの操作で撮影した撮影画像に、利用者自身が、予め用意されたフレーム画像やスタンプ画像を合成したり、タッチペンを用いて文字などを書き込むことができる写真シール作成装置が娯楽施設などに設置されている。
【０００３】
このような写真シール作成装置において、撮影の順番待ちや写真シールの出力待ちをしている利用者が、待ち時間の間に退屈しないよう筐体に設けた表示装置に広告を表示する技術が提案されている。
【０００４】
例えば、特許文献１には、写真シール作成装置の筐体外部側面に表示装置を設けて、筐体内部に設けたコンピューターの指示によって表示装置に広告を表示する技術が提案されている。  
また、特許文献２には、広告料に基づいて広告の表示回数や表示エリア、表示順序などを決定する技術が提案されている。
【０００５】
しかしながら、特許文献１には、筐体に広告を表示する表示装置について記載されているが、具体的な広告表示方法に関する技術は開示されていない。  
また、特許文献２では、広告料に基づいて表示回数などを決定するので、写真シール作成装置の設置場所によって変わる利用者層に応じた効果的な広告表示をすることができないという問題がある。
【先行技術文献】
【特許文献】
【０００６】
【特許文献１】特開２００５−１７８１３号公報
【特許文献２】特開２００１−１５５０６６号公報
【発明の概要】
【発明が解決しようとする課題】
【０００７】
本発明は、上述の問題に鑑み、広告を適切に表示することができる広告表示システム、広告表示方法及び広告表示プログラムを提供することを目的とする。
【課題を解決するための手段】
【０００８】
この発明は、通信回線に接続する回線接続部と、広告を表示する広告表示部と、各種設定にかかる設定情報を入力許容する設定入力部と、各種情報を記憶する記憶部と、前記各部を制御する制御部とを備えた写真シール作成装置と、前記通信回線を介して前記写真シール作成装置と接続するサーバーとで構成した広告表示システムであって、前記サーバーに、前記写真シール作成装置へ配信する広告データと、該広告データの各種情報を示す広告属性情報とを関連付けて記憶する広告データ記憶部を備え、前記写真シール作成装置に、利用者が操作して撮影モードの選択入力を入力許容するモード選択入力部を備え、前記写真シール作成装置の制御部に、前記モード選択入力部で入力した撮影モードから利用者層を判別する利用者層判別処理と、新規広告データの有無を前記サーバーに問い合わせて、新規広告データがあれば、前記サーバーから新規広告データを取得して、前記記憶部に記憶する広告データ取得処理と、前記広告表示部に前記広告属性情報に基づいて広告データを表示する広告表示処理とを備えたことを特徴とする。
【０００９】
この広告属性情報は、広告データを識別するＩＤ情報を示す広告ＩＤ、広告配信元が定めた公開を許容する期間などを示す公開期間、広告データの種類やターゲットなどを示す分類属性情報、広告表示部に表示する頻度を示す頻度属性情報などとすることができる。  
この広告データは、企業の製品広告や写真シール作成装置の新製品広告などとすることができる。
【００１０】
この発明により、広告を適切に表示する広告表示システムを提供することができる。  
具体的には、広告データ取得処理により、写真シール作成装置は、自動的にサーバーにアクセスして、サーバーの広告データ記憶部に記憶している複数の広告データから新規広告データを自動的に取得することができる。
【００１１】
なお、写真シール作成装置がサーバーに問い合わせるタイミングは、筐体の電源を入れたときなどにすれば、毎日新規広告データの有無を確認することができる。
【００１２】
そして、広告表示処理により、取得した広告データを表示することができる。  
従って、公開期間が限られた広告データを取得し忘れる、あるいは広告の表示が遅れるというおそれを防止することができる。さらに、広告表示システムは、広告データを適切な時期に忘れることなく表示することができる。
【００１３】
前記撮影モードは、写真シール作成装置の利用者が撮影時に選択した装飾フレームや、写真写りを良くするモードや、写真全体の明暗を変更するモードや、カップルあるいはファミリー向けのモードなどとすることができる。なお、利用者層を判別する撮影モードは、単一のモードだけなく、複数のモードを組み合わせてもよい。
【００１４】
この利用者層は、利用者を性別、推定年齢、あるいはカップル、複数人のグループなどとすることができる。
【００１５】
上述したように、前記写真シール作成装置に、利用者が操作して撮影モードの選択入力を入力許容するモード選択入力部を備え、前記写真シール作成装置の制御部に、前記モード選択入力部で入力した撮影モードから利用者層を判別する利用者層判別処理を備えることにより、写真シール作成装置は、利用者が選択した撮影モードによって、利用者が女性か、カップルかなどの利用者層を判別することができる。
【００１６】
また、この発明の態様として、前記広告表示処理を、前記利用者層に基づいて選択した前記広告データを前記広告表示部に表示する構成とすることができる。
【００１７】
この態様により、写真シール作成装置は、写真シール作成装置の利用者に対して、撮影終了後、写真シール出力の待ち時間などに退屈しないように、利用者層に基づいて利用者が関心を持ちそうな適切な広告データを選択し、広告表示部に表示することができる。
【００１８】
従って、写真シール作成装置の広告表示部に、利用者が関心を持たないような広告を表示するおそれがなく、利用者が関心を持つような広告を適切に表示することで、より広告効果を得ることができる。
【００１９】
また、この発明の態様として、前記写真シール作成装置の前記制御部に、前記利用者層に基づいて前記設置属性情報テーブルの前記設置属性情報を修正登録するフィードバック処理を備えることができる。
【００２０】
この態様により、設置属性情報テーブルの設置属性情報を、実際の利用実績に基づいて自動的に修正登録することができる。  
さらに、設置属性情報テーブルには、利用実績によって利用者層に基づいた設置属性情報が蓄積されるので、広告表示システムは、より利用者層に応じた適切な広告データを選択して表示することができる。
【００２１】
この発明の態様として、前記サーバーの前記広告データ記憶部、もしくは前記写真シール作成装置の前記記憶部のどちらか一方に、前記写真シール作成装置の所定の設置条件を示す設置属性情報を登録する設置属性情報テーブルを備え、前記広告データ取得処理、及び前記広告表示処理の少なくとも一方を、前記設置属性情報テーブルに基づいて行う構成とすることができる。
【００２２】
この所定の設置条件は、写真シール作成装置を設置している設置場所、店舗の場所とする、設置場所によって変わる主な利用者とする、あるいは主な利用者が異なる曜日や時間帯などとすることができる。
【００２３】
この態様により、写真シール作成装置は、その設置場所や利用者に応じた適切な広告データを取得、表示することができる。
【００２４】
具体的には、写真シール作成装置の主な利用者は、写真シール作成装置の設置場所、曜日や時間帯によって変化するものである。さらに、広告表示部には、利用者が関心を持つ広告データを表示することが好ましい。
【００２５】
すなわち、写真シール作成装置の設置場所、曜日や時間帯など、その時々に応じた利用者に合わせて、広告データを広告表示部に表示することで、利用者の関心を引くことができる。
【００２６】
そこで、写真シール作成装置の設置場所、時間帯、主な利用者などの情報を登録した設置属性情報テーブルに基づいて、写真シール作成装置は、広告データ取得処理や広告表示処理を行うことにより、設置場所や時間帯などに応じた適切な広告データを取得、表示することができる。
【００２７】
また、写真シール作成装置は、設置属性情報テーブルに登録した設置場所や主な利用者などの単一的な条件ではなく、複数の条件に基づいて広告データを取得、表示することもできる。
【００２８】
さらに、写真シール作成装置は、設置場所等に基づいた広告データのみを取得するので、不要な広告データの取得を防止するとともに、写真シール作成装置の記憶部の限られた記憶容量を有効に活用することができる。
【００２９】
従って、写真シール作成装置は、その設置場所や利用者に応じた適切な広告データを取得、表示することができる。
【００３０】
また、この発明の態様として、前記写真シール作成装置の前記広告データ取得処理を、前記写真シール作成装置の前記記憶部に記憶した前記設置属性情報テーブルに基づいて新規広告データの有無を前記サーバーに問い合わせて、前記サーバーから新規広告データを取得する構成とすることができる。
【００３１】
この態様により、写真シール作成装置は、サーバーの広告データ記憶部に記憶した全ての新規広告データを取得するのではなく、設置属性情報テーブルに基づいて設置場所などに応じた適切な新規広告データを取得することができる。
【００３２】
また、サーバーから適切な広告データを自動的に取得することにより、写真シール作成装置が新規広告データを取得するたびに、オペレーターが設置場所や利用者などによっては不適切となる広告データを表示するか否かを設定する手間を省くことができる。
【００３３】
従って、写真シール作成装置は、その設置場所や利用者に応じた適切な広告データをサーバーから取得することができる。
【００３４】
また、この発明の態様として、前記設置属性情報テーブルを複数の写真シール作成装置の設置属性情報を登録可能な構成とし、前記写真シール作成装置の前記広告データ取得処理を、新規広告データの有無を前記サーバーに問い合わせて、前記サーバーにおいて、前記広告データ記憶部に記憶された前記設置属性情報テーブルに基づいて、各写真シール作成装置に応じて選択した新規広告データを前記サーバーから取得する構成とすることができる。
【００３５】
この態様により、写真シール作成装置が新規広告データの有無をサーバーに問い合わせると、サーバーは、広告データ記憶部に記憶している設置属性情報テーブルに基づいて広告データを選別し、写真シール作成装置に送信する。従って、写真シール作成装置は、設置属性情報テーブルに基づいて主な利用者が関心を持つような適切な広告データをサーバーから取得することができる。
【００３６】
従って、写真シール作成装置は、その設置場所や利用者に応じた適切な広告データを取得することができる。
【００３７】
また、例えば、複数台の写真シール作成装置を設置している店舗において、店舗単位の設置属性情報テーブルをサーバーで一括管理すれば、店舗に設置している全ての写真シール作成装置で設置属性情報テーブルを共用することができる。
【００３８】
従って、オペレーターが写真シール作成装置毎に、設置属性情報テーブルを設定する手間を省くことができる。さらに、写真シール作成装置を入れ替えたりしても、オペレーターが設置属性情報テーブルを再設定する手間を省き、すぐに写真シール作成装置を稼働することができる。
【００３９】
また、この発明の態様として、前記広告表示処理を、前記写真シール作成装置の前記記憶部に記憶した前記設置属性情報テーブルに基づいて選択した前記広告データを前記広告表示部に表示する構成とすることができる。
【００４０】
この態様により、写真シール作成装置は、設置属性情報テーブルに基づいて主な利用者、曜日、時間帯などに応じた適切な広告データを選択して、広告表示部に表示することができる。
【００４１】
また、この発明の態様として、前記写真シール作成装置の前記記憶部に、前記広告データを表示する頻度を示す頻度属性情報を前記広告データに関連付けて記憶し、前記広告表示処理を、前記頻度属性情報に基づいて前記広告データを前記広告表示部に表示する構成とすることができる。
【００４２】
この頻度属性情報は、広告料に応じた表示頻度、広告の人気度に応じた表示頻度などとすることができる。なお、頻度属性情報は、サーバーの広告データ記憶部に広告データに予め関連付けて記憶し、広告データとともに取得できるようにしてもよい。あるいは、設定入力部でオペレーターにより設定記憶してもよい。
【００４３】
この態様により、写真シール作成装置は、表示可能な全ての広告データを均等な頻度で表示するのではなく、頻度属性情報に基づいて広告データを表示する頻度を変更することができる。  
例えば、ある製品を大々的に宣伝したい場合、頻度属性情報を高くすることにより、この製品の広告データを広告表示部に頻繁に表示することができる。
【００４４】
また、この発明の態様として、前記写真シール作成装置に、前記広告データに対する利用者の選択情報を入力許容する選択入力部を備え、前記写真シール作成装置の記憶部に、前記選択入力部で入力された選択情報を記憶し、前記写真シール作成装置の制御部に、前記選択情報を集計した集計情報を前記サーバーに送信する集計情報送信処理を備えることができる。  
この選択情報は、複数の選択肢から１つを選択した情報などとすることができる。
【００４５】
この態様により、利用者は、選択入力部によって広告データの印象や好感度、あるいは選択回答式アンケートに対する回答などを入力することができる。例えば、同じ製品の広告データを複数表示して、どれが一番印象に残るか、あるいは好感度が高いかを選択入力することができる。そして、集計情報送信処理により、複数の写真シール作成装置の集計情報をサーバーで一括管理することができる。
【００４６】
従って、設置場所などが異なる複数の写真シール作成装置の利用者が選択した選択情報を一括管理して、利用者の違いによる広告データの印象や好感度の違いなどを分析調査し、より効果的な広告データの表示に反映することができる。また、分析調査結果は、写真シール作成装置に表示する広告だけでなく、不特定多数の人が視聴、閲覧するようなテレビ広告、吊り広告において、ターゲットとする利用者層に適した広告の決定に活用することができる。
【００４７】
また、複数の広告データにおいて、好感度などのランキング結果を頻度属性情報に登録し、写真シール作成装置は、頻度属性情報のランキング結果に基づいて広告データを表示することもできる。  
従って、広告表示システムは、より利用者が関心を持つ広告データを配信、表示することができる。
【００４８】
この発明は、通信回線に接続する回線接続部と、広告を表示する広告表示部と、各種設定にかかる設定情報を入力許容する設定入力部と、各種情報を記憶する記憶部と、前記各部を制御する制御部とを備えた写真シール作成装置と、前記通信回線を介して前記写真シール作成装置と接続するサーバーとで構成した広告表示システムを用いて、前記サーバーの広告データ記憶部で、前記写真シール作成装置へ配信する広告データと、該広告データの各種情報を示す広告属性情報とを関連付けて記憶し、前記写真シール作成装置の制御部において、前記写真シール作成装置に備えたモード選択入力部を利用者が操作して選択入力した撮影モードから利用者層判別処理により利用者層を判別し、広告データ取得処理により、新規広告データの有無を前記サーバーに問い合わせて、新規広告データがあれば、前記サーバーから新規広告データを取得して、前記記憶部に記憶し、広告表示処理により、前記広告表示部に前記広告属性情報に基づいて広告データを表示する広告表示方法であることを特徴とする。
【００４９】
この発明により、広告データを適切に表示する広告表示方法を提供することができる。
【００５０】
この発明は、通信回線に接続する回線接続部と、広告を表示する広告表示部と、各種設定にかかる設定情報を入力許容する設定入力部と、各種情報を記憶する記憶部と、前記各部を制御する制御部とを備えた写真シール作成装置と、該写真シール作成装置へ配信する広告データと、該広告データの各種情報を示す広告属性情報とを関連付けて記憶する広告データ記憶部を備え、前記通信回線を介して前記写真シール作成装置と接続するサーバーとで構成した広告表示システムを用いて、前記写真シール作成装置の制御部に、前記写真シール作成装置に備えたモード選択入力部を利用者が操作して選択入力した撮影モードから利用者層を判別するステップと、新規広告データの有無を前記サーバーに問い合わせて、新規広告データがあれば、前記サーバーから新規広告データを取得して、前記記憶部に記憶するステップと、前記広告表示部に前記広告属性情報に基づいて広告データを表示するステップとを実行させる広告表示プログラムであることを特徴とする。
【００５１】
この発明により、広告を適切に表示する広告表示プログラムを提供することができる。
【００５２】
具体的には、広告表示プログラムは、ＣＤ−ＲＯＭやＤＶＤ−ＲＯＭなどの記憶媒体、サーバーからのダウンロード、あるいは写真シール作成装置に組み込まれて提供することができる。  
また、広告表示プログラムは、写真シール作成装置のHDDなどの記憶部に記憶して実行することができる。
【発明の効果】
【００５３】
本発明により、広告を適切に表示する広告表示システム、広告表示方法及び広告表示プログラムを提供することができる。
【図面の簡単な説明】
【００５４】
【図１】写真シール作成装置の外観を示す外観斜視図。
【図２】図１の写真シール作成装置を他の角度から見た外観を示す外観斜視図。
【図３】前方ユニットにおいて利用者と対面する面の構成を示す前面ユニット正面図。
【図４】編集ユニットの正面構成を示す編集ユニット正面図。
【図５】編集ユニットの側面構成を示す編集ユニット側面図。
【図６】図１の写真シール作成装置の設置状態の外観を示す外観斜視図。
【図７】写真シール作成装置における利用者の移動空間を説明する説明図。
【図８】広告表示システムの内部構成を示すブロック図。
【図９】設置属性情報テーブルを説明する説明図。
【図１０】広告データの関連付け情報を説明する説明図。
【図１１】選択情報テーブルを説明する説明図。
【図１２】広告データ削除取得処理の動作を示すフローチャート。
【図１３】広告データ設定受付処理の動作を示すフローチャート。
【図１４】広告データ設定受付処理の動作を示すフローチャート。
【図１５】広告データに設定する画面を示す広告データ設定画面。
【図１６】広告表示処理の動作を示すフローチャート。
【図１７】集計情報送信処理の動作を示すフローチャート。
【図１８】広告の好感度を選択入力する画面を示す広告比較画面。
【図１９】実施例２における広告表示処理の動作を示すフローチャート。
【図２０】実施例３における広告表示処理の動作を示すフローチャート。
【発明を実施するための形態】
【００５５】
この発明の一実施形態を以下図面と共に説明する。  
【実施例１】
【００５６】
まず、本実施形態で用いる写真シール作成装置１００について図１から図６を用いて説明する。
【００５７】
なお、図１は、写真シール作成装置１００の外観斜視図を示し、図２は、図１の写真シール作成装置１００を他の角度から見た外観斜視図を示し、図３は、前方ユニット１２１において利用者と対面する面の前方ユニット正面図を示し、図４は、編集ユニット１３０の正面における編集ユニット正面図を示し、図５は、編集ユニット１３０の側面における編集ユニット側面図を示し、図６は、図１の写真シール作成装置１００の設置状態における外観斜視図を示している。  
また、図１及び図２において、図左側を写真シール作成装置１００の前方とし、図右側を写真シール作成装置１００の後方とする。
【００５８】
写真シール作成装置１００は、図１及び図２に示すように、筐体１０１に撮影ユニット１２０、編集ユニット１３０、天井照明ユニット１４０、および背景カーテンユニット１５０とを組み付けて構成している。
【００５９】
撮影ユニット１２０は、写真シール作成装置１００の後方にあって、利用者が硬貨を投入して実際に撮影する撮影ブースであり、前方ユニット１２１と後方ユニット１２２とを所定の間隔を介して配置して構成している。そして、前方ユニット１２１と後方ユニット１２２との間で撮影空間Sを構成している。
【００６０】
また、撮影ユニット１２０の前方ユニット１２１左側面には、写真シール作成装置１００のデモ画面や広告の表示、利用者の各種入力操作を受け付ける広告表示部１６０を設置している。
【００６１】
この広告表示部１６０は、デモ画面や広告の表示および利用者の各種入力操作を受け付けるタッチパネル機能を有する外付けモニター１６１と、外付けモニター１６１に表示される画像に応じて音声を出力するスピーカー１６２と、利用者が外付けモニター１６１に入力する際に用いるタッチペン１６３とで構成している。
【００６２】
前方ユニット１２１は、写真シール作成装置１００の略中央に配置して、利用者が対面して撮影を行う機能を有するユニットである。  
この前方ユニット１２１の利用者と対面する面は、図３に示すように、カメラ１２４と、タッチパネルモニター１２５と、照明装置１２３（１２３ａ〜１２３ｃ）と、両サイドに設けた利用者の荷物を一時的に置く荷物置き場１２６と、利用者が投入する硬貨の受け付け及び返却の機能を有する硬貨投入返却口１２７と、撮影にかかる音声案内を出力するスピーカー１２８とで構成している。
【００６３】
カメラ１２４は、撮影空間Ｓで前方ユニット１２１と対面する利用者を撮影する機能を有し、撮影空間Ｓ（後方ユニット１２２）に向けて配置している。  
タッチパネルモニター１２５は、カメラ１２４で撮影する利用者の映像を表示する機能と、利用者の各種操作を受け付ける機能を有し、カメラ１２４の下部に配置している。
【００６４】
照明装置１２３は、撮影のタイミングに合わせて閃光する機能を有し、カメラ１２４及びタッチパネルモニター１２５の周囲に配置している。この照明装置１２３は、カメラ１２４の上部にあって利用者と正対する照明装置１２３ａと、カメラ１２４の周囲に配置して利用者に向けた６台の皿状の照明装置１２３ｂと、前方ユニット１２１の下部に設けた照明装置１２３ｃとで構成している。
【００６５】
また、後方ユニット１２２は、前方ユニット１２１に対面して、前方ユニット１２１と所定の間隔をおいて写真シール作成装置１００の後方に配置している。この後方ユニット１２２は、利用者が実際に撮影する際の背景としての機能を有するユニットであり、その内部は空洞となっている。そして、後方ユニット１２２の上部には、背景カーテンユニット１５０を配置している。  
背景カーテンユニット１５０は、後方ユニット１２２の上部に設置し、例えば、背景に利用する可動式の背景カーテンを格納している。
【００６６】
また、天井照明ユニット１４０は、撮影のタイミングに合わせて撮影空間Sに向かって閃光するフラッシュ機能と、内蔵した蛍光灯により撮影空間Sを常時照らす照明機能とを有し、撮影ユニット１２０の上部に配置している。  
そして、撮影ユニット１２０と天井照明ユニット１４０と背景カーテンユニット１５０とで閉塞的な撮影空間Sを構成している。
【００６７】
また、編集ユニット１３０は、図１及び図２に示すように、前方ユニット１２１の前方に隣接して配置して、利用者が撮影した画像に対してフレーム画像やスタンプ画像、文字入力による落書きなどの編集作業を行う機能と、広告表示部１６０と同様にデモ画面等を表示する機能を有する。
【００６８】
具体的には、編集ユニット１３０は、図２に示すように、利用者が写真シール作成装置１００の左側から入場して編集作業を行う第１編集ユニット１３０ａと、利用者が写真シール作成装置１００の右側から入場して編集作業を行う第２編集ユニット１３０ｂとが、左右方向で互いに異なる方向に向けて配置した構成となっている。すなわち、編集ユニット１３０は、２組の利用者が同時に撮影画像に対して落書きなどの編集作業を行うことができる構成となっている。
【００６９】
なお、編集ユニット１３０は、撮影ユニット１２０より左右幅が小さく、後述する側面カーテン１７０（図６参照）を展開しても、利用者が編集ユニット１３０を操作して編集作業ができる編集空間Ｘ、Ｙ（図７参照）を確保できる大きさである。
【００７０】
この第１編集ユニット１３０ａと第２編集ユニット１３０ｂは、互いに異なる方向に向けて配置している点を除けば、同一の構成であることから、ここでは第１編集ユニット１３０ａについて詳述し、第２編集ユニット１３０ｂの詳しい説明は省略する。
【００７１】
なお、編集ユニット１３０の構成要素のうち、第１編集ユニット１３０ａの構成要素の符号を「ａ」とし、第２編集ユニット１３０ｂの構成要素の符号を「ｂ」として識別する。  
この第１編集ユニット１３０ａは、図４に示すように、編集部１３１ａと、上部照明装置１３２ａと、追加硬貨投入返却口１３３ａとで構成している。
【００７２】
編集部１３１ａは、撮影した画像を表示する機能と、利用者が落書きなどの編集作業を受け付ける機能とを有するタブレット内蔵モニター１３４ａと、操作案内などの音声を出力するスピーカー１３５ａと、編集作業に用いる１対のタッチペン１３６ａとで構成している。
【００７３】
上部照明装置１３２ａは、利用者が編集部１３１ａで編集作業を行う際の手元を照らす機能を有し、第１編集ユニット１３０ａの上部に設置している。  
追加硬貨投入返却口１３３ａは、利用者が編集可能な時間を延長する、あるいは写真シールを複数枚出力するといった追加料金を支払う場合の硬貨投入の受け付けと、お釣などの返却という機能を有し、編集部１３１ａの左側に設けている。
【００７４】
また、編集ユニット１３０の側面には、図５に示すように、写真シール排出口１３７と、スピーカー１３８と、メンテナンス扉１３９とを設けている。  
この写真シール排出口１３７は、利用者が第１編集ユニット１３０ａあるいは第２編集ユニット１３０ｂで編集した撮影画像を印刷したシール紙を排出する機能を有し、編集ユニット１３０側面の下方に設置している。なお、写真シール排出口１３７の内部には、後述するプリンタ２３０と給紙ユニット２３１とを内蔵している。
【００７５】
スピーカー１３８は、シール紙の排出にかかる音声案内を出力する機能を有し、写真シール排出口１３７の下方に設置している。  
メンテナンス扉１３９は、編集部１３１と同等高さに設けられ、その内部には、写真シール作成装置１００の各種設定画面やメンテナンス情報画面をタブレット内蔵モニター１３４に出力する切り替え機能などを有する機器を設置している。
【００７６】
このような構成の写真シール作成装置１００は、図６に示すように、側面カーテン１７０を展開して運用される。  
この側面カーテン１７０は、撮影空間Ｓや編集空間Ｘ、Ｙを簡易的に囲い、各空間の閉塞環境を向上させる役割を果たす。つまり、撮影時の撮影環境の向上や撮影及び編集作業時における外部からの視線を遮断するといった役割を果たし、利用者は周囲を意識することなく、写真シール作成装置１００を利用することができる。
【００７７】
次に、写真シール作成装置１００において、写真シールを作成する際に、利用者が移動する順序について図７を用いて説明する。  
なお、図７は、写真シール作成装置における利用者の移動空間を説明する説明図を示しており、写真シール作成装置１００を上方より見下ろした平面図である。
【００７８】
まず、利用者は、図７に示す写真シール作成装置１００の待機エリアＡあるいはＡ’で撮影の順番を待ち、撮影空間Ｓ内に利用者がいなければ、そのまま撮影空間Ｓに入場する。
【００７９】
撮影空間Ｓに入場した利用者は、硬貨投入返却口１２７に料金を投入して、撮影エリアＢに位置して前方ユニット１２１のカメラ１２４に正対し、前方のタッチパネルモニター１２５を操作して撮影を行う。
【００８０】
撮影後、利用者は、タッチパネルモニター１２５に表示された撮影した画像の中から編集、印刷する撮影画像を選択して、タッチパネルモニター１２５に表示された移動案内にしたがって撮影空間Ｓを退場し、第１編集ユニット１３０ａの編集空間Ｘ、あるいは第２編集ユニット１３０ｂの編集空間Ｙへ移動する。
【００８１】
そして、利用者は、編集空間Ｘの編集位置Ｃ、あるいは編集空間Ｙの編集位置Ｃ’に立ち、編集部１３１（１３１ａあるいは１３１ｂ）を操作して、撮影画像に対して落書きなどの編集作業を行う。
【００８２】
撮影画像の編集作業を終えた利用者は、写真シールの出力を待つため、出力待ち空間Ｚの待機位置Ｄに移動し、写真シール作成装置１００が写真シール排出口１３７から排出した写真シールを受け取る。
【００８３】
なお、編集ユニット１３０を第１編集ユニット１３０ａと第２編集ユニット１３０ｂとで構成しているので、同時に２組の利用者が撮影画像の編集を行うことができる。
【００８４】
このようにして、利用者が撮影空間Ｓ、編集空間Ｘ（Ｙ）、出力待ち空間Ｚの順に移動していくことで、複数の利用者が同時に写真シール作成装置１００を利用することができる。
【００８５】
例えば、写真シール作成装置１００の待機エリアＡで１組の利用者が待機し、撮影空間Ｓ内では別の１組の利用者が撮影を行いながら、編集空間Ｘではさらに別の利用者が編集作業を行うことができる。そして、撮影空間Ｓで撮影を終えた利用者が編集空間Ｙに移動し、編集空間Ｘと編集空間Ｙとで利用者が編集作業を行いながら、待機エリアＡで待機していた利用者が撮影空間Ｓに入場して撮影を行うことができる。
【００８６】
次に、上述したような写真シール作成装置１００において、待機エリアＡ（Ａ’）で撮影の順番を待つ利用者、あるいは写真シール作成装置１００を利用するか迷っている利用者などに対して、広告表示部１６０に写真シール作成装置１００のデモ画面や広告などを表示する広告表示システム１について説明する。
【００８７】
なお、図８は、広告表示システム１の内部構成を示すブロック図を示し、すでに上述した構成要素と同じ構成要素については、同じ符号を付しているので、その詳しい説明は省略する。
【００８８】
広告表示システム１は、図８に示すように、写真シール作成装置１００と、写真シール作成装置１００と通信回線５０を介して接続したサーバー１０とで構成している。
【００８９】
写真シール作成装置１００の内部構成は、制御部２０１と、記憶部２０２と、通信部２０３と、ドライブ２０４と、ＲＯＭ２０６と、ＲＡＭ２０７と、撮影部２１０と、編集部２２０と、プリンタ２３０とで構成している。
【００９０】
撮影部２１０は、撮影ユニット１２０の機能ブロックであり、硬貨処理部２１１と、照明制御部２１２と、カメラ１２４と、タッチパネルモニター１２５と、スピーカー１２８と、背景カーテンユニット１５０とで構成し、それぞれ所定のバスを介して制御部２０１と接続している。
【００９１】
硬貨処理部２１１は、制御部２０１の指示により硬貨の投入を受け付ける処理と、硬貨投入返却口１２７で受け付けた硬貨の種類、枚数を識別して、識別結果を制御部２０１に送信する処理を行う。
【００９２】
照明制御部２１２は、天井照明ユニット１４０や照明装置１２３を制御部２０１の指示により、撮影タイミングに合わせて閃光するよう制御を行う。  
タッチパネルモニター１２５のライブビューモニター１２５ａは、カメラ１２４で撮影する利用者をリアルタイム表示する機能を有する。
【００９３】
また、編集部２２０は、第１編集ユニット１３０ａの機能ブロックである第１編集部２２０ａと、第２編集ユニット１３０ｂの機能ブロックである第２編集部２２０ｂとで構成している。なお、第１編集部２２０ａと第２編集部２２０ｂとは同一の構成であり、ここでは第１編集部２２０ａを用いて詳述する。
【００９４】
第１編集部２２０ａは、硬貨処理部２２３ａと、タブレット内蔵モニター１３４ａと、１対のタッチペン１３６ａと、スピーカー１３５ａで構成し、それぞれ所定のバスを介して制御部２０１と接続している。
【００９５】
硬貨処理部２２３ａは、制御部２０１の指示により硬貨の投入を受け付ける処理と、追加硬貨投入返却口１３３ａで受け付けた硬貨の種類、枚数を識別して、識別結果を制御部２０１に送信する処理を行う。
【００９６】
タブレット内蔵モニター１３４ａは、編集モニター２２４ａと、タブレット２２５ａとで構成している。  
編集モニター２２４ａは、制御部２０１の指示により、撮影画像やデモ画面及び広告などを表示する機能を有する。
【００９７】
タブレット２２５ａは、利用者がタッチペン１３６ａを用いてタブレット内蔵モニター１３４ａをタップすると、タッチペン１３６ａがタップした位置情報を取得して、制御部２０１に位置情報を送信する機能を有する。
【００９８】
また、プリンタ２３０は、制御部２０１の指示により、編集部２２０で行われた編集結果を受け取ると、シール紙２３２を保管している給紙ユニット２３１にシール紙２３２を要求し、給紙ユニット２３１が給紙したシール紙２３２に撮影画像を印刷する。そして、シール紙２３２への印刷が完了すると、プリンタ２３０は、写真シール排出口１３７から写真シールを排出する機能を有する。
【００９９】
また、ドライブ２０４は、磁気ディスク、光ディスク、光磁気ディスクおよびリムーバブルメディア２０５を適宜装着し、装着したディスクあるいはリムーバブルメディア２０５に記憶されたプログラム、データを読み取り、制御部２０１に送信する機能を有する。
【０１００】
また、ＲＯＭ２０６は、制御部２０１により実行されるプログラムやデータを記憶して、制御部２０１の指示により適宜、制御部２０１にプログラムやデータを送信する。  
ＲＡＭ２０７は、制御部２０１が実行するプログラムやデータを一時的に記憶する。
【０１０１】
また、記憶部２０２は、例えば、ハードディスクやフラッシュメモリなどで構成し、制御部２０１の指示により、各種情報の記憶と読み出しを行う。さらに、この記憶部２０２には、設置属性情報テーブル３００と、選択情報テーブル３３０と、サーバー１０から受信した複数の広告データ３１０及び広告データ３１０に関連付けた広告属性情報３２０とを記憶している。なお、設置属性情報テーブル３００と、選択情報テーブル３３０と、広告データ３１０及び広告データ３１０に関連付けた広告属性情報３２０については、後ほど詳しく説明する。
【０１０２】
通信部２０３は、制御部２０１の指示により、通信回線５０を介して、サーバー１０と各種情報の受け渡しを行う。  
制御部２０１は、上述した各部の動作の制御と、プログラムの実行処理などを行う。
【０１０３】
次に、サーバー１０は、制御部２０と、広告データ記憶部３０と、通信部４０とで構成している。なお、サーバー１０は、この構成に限らず各種ドライブや、モニターなどの出力装置、キーボードやマウスなどの入力装置と適宜組み合わせてもよい。
【０１０４】
通信部４０は、制御部２０の指示により、通信回線５０を介して写真シール作成装置１００と各種情報の受け渡しを行う。
【０１０５】
広告データ記憶部３０は、例えば、ハードディスクなどの記憶装置で構成し、写真シール作成装置１００に配信する複数の広告データ３１０及び広告データ３１０に関連付けた広告属性情報３２０とを記憶している。また、広告データ記憶部３０は、写真シール作成装置１００から広告表示に関する各種情報を受け取って記憶することもできる。
【０１０６】
なお、広告データ３１０は、制御部２０の指示により適宜、広告データ記憶部３０から読み出されて写真シール作成装置１００に通信回線５０を介して配信する。  
制御部２０は、ＣＰＵ、メモリなどで構成し、上述した各部の制御を行う。
【０１０７】
次に、設置属性情報テーブル３００、選択情報テーブル３３０、広告データ３１０及び広告データ３１０に関連付けた広告属性情報３２０について、図９から図１１を用いて説明する。
【０１０８】
なお、図９は、設置属性情報テーブル３００を説明する説明図を示し、図１０は、広告データ３１０の関連付け情報を説明する説明図を示し、図１１は、選択情報テーブル３３０を説明する説明図を示している。
【０１０９】
設置属性情報テーブル３００は、写真シール作成装置１００を設置している場所情報、利用者層、時間帯などに関する情報を登録しており、図９に示すように、機器ＩＤ、設置場所、主な利用客層、利用客数、及び時間帯別利用客層の各項目で構成している。
【０１１０】
機器ＩＤは、写真シール作成装置１００を識別する固有のＩＤ情報を登録している。  
設置場所は、写真シール作成装置１００を設置している場所、あるいは写真シール作成装置１００を設置している店舗の場所が、どのような場所であるかの情報を示している。例えば、駅前や商店街の遊技施設内、商業施設内などをオペレーターによって選択登録している。
【０１１１】
主な利用客層は、写真シール作成装置１００を利用する利用者によってカテゴリー分けした情報を示しており、オペレーターによって予め登録している。  
利用客数は、写真シール作成装置１００を利用した利用客の総数を示しており、利用者が写真シール作成装置１００を利用するたびに、制御部２０１によって自動的に加算される。
【０１１２】
時間帯別利用客層は、撮影時の撮影コースから利用者が女性か、家族か、カップルか推測してカテゴリー分けした客数を時間帯毎に集計した情報を示している。なお、時間帯別利用客層の客数は、後述するフィードバック処理により、利用者が写真シール作成装置１００を利用するたびに、制御部２０１によって自動的に加算される。
【０１１３】
また、広告データ３１０は、写真シール作成装置１００の製造、販売元とは関係のない企業の広告、あるいは新しい写真シール作成装置１００の広告動画ファイルなどとすることができ、図１０に示すように、ＩＤ情報３２１と、公開期間３２２と、分類属性情報３２３と、頻度属性情報３２４からなる広告属性情報３２０を関連付けて記憶している。
【０１１４】
ＩＤ情報３２１は、広告データ３１０を識別する固有の情報を示している。  
公開期間３２２は、広告データ３１０の公開可能な期間を示しており、日付あるいは日数などで示すことができる。
【０１１５】
分類属性情報３２３は、例えば、広告データ３１０を女性向け広告、子供向け広告などで分類した情報を示している。なお、分類属性情報３２３は、予め設定してサーバー１０の広告データ記憶部３０に広告データ３１０に関連付けた状態で記憶している。
【０１１６】
頻度属性情報３２４は、広告データ３１０を広告表示部１６０に表示する頻度の情報を示しており、割合や回数などとすることができる。なお、頻度属性情報３２４は、予め設定してサーバー１０の広告データ記憶部３０に広告データ３１０に関連付けた状態で記憶している。
【０１１７】
また、選択情報テーブル３３０は、広告表示部１６０に２種類の広告データを表示して、利用者が好感度の高い広告を選択した結果を集計したものであり、図１１に示すように、広告元、広告ＩＤ、表示回数、選択回数及び選択割合の各項目で構成している。
【０１１８】
広告元は、広告を提供している企業、団体などを示している。  
広告ＩＤは、広告データを識別する固有のＩＤ情報を示している。また、１つの広告元に対して広告ＩＤの異なる２種類の広告データを登録している。
【０１１９】
表示回数は、１つの広告元において２種類の広告データを広告表示部１６０に表示した回数の総和を示している。  
選択回数は、利用者が選択した回数を広告データ毎に示している。
【０１２０】
選択割合は、表示回数に対する選択回数を割合で示したものである。なお、広告表示部１６０に表示した２種類の広告データが必ず利用者に選択されるとは限らないので、選択割合は、２種類の広告データの選択回数の総和に対する選択回数の割合で示してもよい。
【０１２１】
次に、上述したような構成の広告表示システム１において、広告データの取得から広告データの表示、及び広告データの好感度を調査し、その集計結果の送信にかかる一連の動作について図１２〜図１７を用いて説明する。
【０１２２】
まず、写真シール作成装置１００が、記憶部２０２に記憶している広告データを自動削除して、サーバー１０から新しい広告データを取得する広告データ削除取得処理の動作について図１２を用いて詳述する。  
なお、図１２は、広告データ削除取得処理の動作のフローチャートを示している。
【０１２３】
写真シール作成装置１００は、電源が投入されて起動すると、制御部２０１の指示により、広告データ削除取得処理を自動的に実行する。  
広告データ削除取得処理を実行すると、制御部２０１は、写真シール作成装置１００の記憶部２０２を参照して、各広告データに関連付けて記憶している公開期間と、写真シール作成装置１００が設定記憶している現在の日付とを比較判定する（ステップＳ３４１）。
【０１２４】
現在の日付が、広告データの公開期間を過ぎていれば（ステップＳ３４１：Ｙｅｓ）、制御部２０１の指示により、記憶部２０２は、該当する広告データを削除する（ステップＳ３４２）。
【０１２５】
その後、制御部２０１は、記憶部２０２に記憶している全ての広告データの公開期間と、現在の日付との比較判定が完了したかを判定する（ステップＳ３４３）。
【０１２６】
記憶部２０２に記憶している全ての広告データの公開期間と、現在の日付との比較判定が完了していなければ（ステップＳ３４３：Ｎｏ）、制御部２０１は、処理をステップＳ３４１まで戻し、全ての広告データの公開期間と現在の日時との比較判定が完了するまで処理を繰り返す。
【０１２７】
一方、記憶部２０２に記憶した全ての広告データの公開期間と、現在の日付の比較が全て完了していれば（ステップＳ３４３：Ｙｅｓ）、制御部２０１は、処理を次にステップへすすめる。
【０１２８】
なお、ステップＳ３４１において、現在の日付が、広告データの公開期間を過ぎていなければ（ステップＳ３４１：Ｎｏ）、制御部２０１は、処理をステップＳ３４３まですすめ、全ての広告データの公開期間と現在の日時との比較判定が完了するまで処理を繰り返す。
【０１２９】
そして、全ての広告データの公開期間と現在の日時との比較判定が完了すると、制御部２０１は、サーバー１０の広告データ記憶部３０に新着の広告データが記憶されているかサーバー１０に問い合わせる問合せ情報を、通信回線５０を介してサーバー１０に送信する（ステップＳ３４４）。
【０１３０】
なお、問合せ情報を送信する際、制御部２０１は、記憶部２０２に記憶された設置属性情報テーブル３００の「主な利用客層」の項目を参照し、サーバー１０に対して分類属性情報が「女性向け」の新着広告データの有無を問い合わせる問合せ情報を送信する。
【０１３１】
問合せ情報をサーバー１０が受信すると、サーバー１０の制御部２０は、広告データ記憶部３０に記憶している複数の新着広告データのうち、分類属性情報が「女性向け」である新着広告データの有無を検索する。そして、新着広告データの有無に応じた応答情報を、通信回線５０を介して写真シール作成装置１００に送信する。
【０１３２】
応答情報を写真シール作成装置１００が受信すると、写真シール作成装置１００の制御部２０１は、応答情報を解析してサーバー１０の広告データ記憶部３０に「女性向け」の新着広告データがあるか判定する（ステップＳ３４５）。
【０１３３】
サーバー１０の広告データ記憶部３０に「女性向け」の新着広告データがあると（ステップＳ３４５：Ｙｅｓ）、写真シール作成装置１００の制御部２０１は、サーバー１０に通信回線５０を介して該当する新着広告データのダウンロードを要求して、ダウンロードを開始する（ステップＳ３４６）。
【０１３４】
この際、サーバー１０の制御部２０は、広告データ記憶部３０に記憶している広告データと、広告データに関連付けて記憶している広告ＩＤ、公開期間、分類属性情報、及び頻度属性情報からなる広告属性情報とを送信する。
【０１３５】
そして、新着広告データと広告属性情報のダウンロードが完了すると、写真シール作成装置１００の制御部２０１の指示により、記憶部２０２は、新着広告データと、広告属性情報とを関連づけて記憶する。その後、制御部２０１は、広告データ削除取得処理を終了する。
【０１３６】
なお、ステップＳ３４５において、「女性向け」の新着広告データがなければ（ステップＳ３４５：Ｎｏ）、写真シール作成装置１００の制御部２０１は、広告データ削除取得処理を終了する。
【０１３７】
次に、写真シール作成装置１００において、記憶部２０２に記憶している全ての広告データに対して、オペレーターが手動で行う設定について図１３から図１５を用いて詳述する。  
なお、図１３及び図１４は、広告データ設定受付処理の動作のフローチャートを示し、図１５は、広告データに設定する広告データ設定画面を示している。
【０１３８】
まず、オペレーターが写真シール作成装置１００の図５に示すメンテナンス扉１３９を開口して、内部に設けた機器を操作して写真シール作成装置１００を設定入力モードに切り替える。  
写真シール作成装置１００が設定入力モードに切り替わると、写真シール作成装置１００の制御部２０１は、広告データ設定受付処理を実行する。
【０１３９】
広告データ設定受付処理を実行すると、制御部２０１は、記憶部２０２に広告データに関連付けて記憶している公開期間と現在の日付とを比較判定する（ステップＳ３６１）。
【０１４０】
現在の日付が、公開期間内であれば（ステップＳ３６１：Ｙｅｓ）、制御部２０１は、次の広告データの公開期間を確認し、全広告データの確認が完了したか判定する（ステップＳ３６２）。
【０１４１】
全広告データの公開期間の確認が完了してなければ（ステップＳ３６２：Ｎｏ）、制御部２０１は、処理をステップＳ３６１に戻して、全広告データを確認するまで処理を繰り返す。
【０１４２】
一方、ステップＳ３６１において、広告データが公開期間外（公開期間前）であれば（ステップＳ３６１：Ｎｏ）、制御部２０１は、該当する広告データに対して、オペレーターによる入力操作を許容しない入力拒否設定を行う（ステップＳ３６３）。その後、制御部２０１は、処理をステップＳ３６２にすすめ、全広告データを確認するまで処理を繰り返す。
【０１４３】
そして、ステップＳ３６２において、全広告データの公開期間の確認が完了すると（ステップＳ３６２：Ｙｅｓ）、写真シール作成装置１００の制御部２０１は、編集ユニット１３０のタブレット内蔵モニター１３４に、図１５に示すような広告データ設定画面４００を表示する（ステップＳ３６４）。
【０１４４】
なお、広告データ設定画面４００は、第１編集ユニット１３０ａ側、あるいは第２編集ユニット１３０ｂ側のいずれか一方のタブレット内蔵モニター１３４に表示すればよいが、設定操作の都合上、ここでは広告表示部１６０を設置している第１編集ユニット１３０ａのタブレット内蔵モニター１３４ａに表示する。  
また、広告データ設定画面４００には、広告データの公開期間に基づいて入力拒否設定を反映した全広告データを表示する。
【０１４５】
この広告データ設定画面４００には、図１５に示すように、画面上部に広告表示を行うかを設定する広告表示設定欄４０１と、記憶部２０２に記憶している全ての広告データを個別に表示する個別広告データ欄４１０〜４５０と、画面下部に広告データ設定画面４００の操作に関する操作メニューを表示したメニュー欄４６０とを表示している。
【０１４６】
この広告表示設定欄４０１は、記憶部２０２に記憶している全ての広告データを一括して設定管理する欄であり、現在の設定状態を示す設定状態欄４０２と、全広告データを広告表示部１６０に表示、または非表示するかを切替える表示ボタン４０３と、非表示ボタン４０４とを表示している。
【０１４７】
なお、全広告データのデフォルトでの表示設定は、全広告データの表示であり、設定状態欄４０２に「表示」と表示する。
【０１４８】
また、個別広告データ欄４１０には、記憶部２０２に記憶している各広告データを識別管理するＩＤ情報を表示するＩＤ欄４１１と、広告データの名称（ファイル名）を表示する名称欄４１２と、広告データの公開期間を表示する公開期間欄４１３と、現在の設定状態を表示する個別設定状態欄４１４と、表示状態を切替える表示ボタン４１５及び非表示ボタン４１６と、広告データをテスト表示するテストボタン４１７とを表示している。
【０１４９】
なお、個別広告データ欄４２０〜４５０は、個別広告データ欄４１０と同じ表示項目であり、以降、それぞれＩＤ欄を４２１、４３１、４４１、４５１とし、名称欄を４２２、４３２、４４２、４５２とし、公開期間欄を４２３、４３３、４４３、４５３とし、個別設定状態欄を４２４、４３４、４４４、４５４とする。さらに、表示ボタンを４２５、４３５、４４５、４５５とし、非表示ボタンを４２６、４３６、４４６、４５６とし、テストボタンを４２７、４３７、４４７、４５７として説明する。
【０１５０】
なお、各広告データのデフォルトでの表示設定は、広告データの表示であり、個別設定状態欄４１４〜４５４に「表示」と表示する。  
また、メニュー欄４６０には、更新ボタン４６１と、前頁ボタン４６２と、次頁ボタン４６３と、確定ボタン４６４とを表示している。
【０１５１】
この更新ボタン４６１は、広告データ設定画面４００を表示中に、写真シール作成装置１００がサーバー１０から新しい広告データを受信しても、広告データ設定画面４００が自動的に更新されないため、オペレーターの入力操作によって広告データ設定画面４００を更新する機能を有する。
【０１５２】
また、前頁ボタン４６２及び次頁ボタン４６３は、記憶部２０２に記憶している広告データが広告データ設定画面４００に全て表示しきれない場合に、ページ送りあるいはページ戻しで全ての広告データを表示する機能を有し、オペレーターによる入力を許容するものである。
【０１５３】
確定ボタン４６４は、広告データ設定画面４００での全ての設定入力が確定したことを入力する。  
広告データ設定画面４００における各ボタン操作は、タッチペン１３６ａを用いてタブレット内蔵モニター１３４ａをタップして行う。
【０１５４】
なお、広告データの個別設定状態欄４１４〜４５４、表示ボタン４１５〜４５５、非表示ボタン４１６〜４５６及びテストボタン４１７〜４５７は、それぞれオペレーターによる入力操作を拒否する場合、あるいは全広告データに対して非表示ボタン４０４で非表示に設定された場合には、他の入力許容しているボタンと区別できるようボタンの色を灰色で表示して入力操作が無効であることをオペレーターに示す。
【０１５５】
また、前頁ボタン４６２あるいは次頁ボタン４６３で表示する広告データがない場合、該当ボタンは、ボタンの色を灰色で表示して入力操作が無効であることをオペレーターに示す。
【０１５６】
例えば、図１５の広告データ設定画面４００において、個別広告データ欄４５０の広告データが公開期間前である場合、写真シール作成装置１００の制御部２０１は、図１３のステップＳ３６３でオペレーターによる入力操作を許容しない入力拒否設定すると、個別設定状態欄４５４、表示ボタン４５５、非表示ボタン４５６及びテストボタン４５７をそれぞれ灰色で表示する。
【０１５７】
図１３に戻り、広告データ設定画面４００を表示すると、制御部２０１は、全広告データに対して広告表示設定欄４０１の非表示ボタン４０４が押下されたか判定する（ステップＳ３６５）。
【０１５８】
非表示ボタン４０４が押下されず、全広告データをデフォルトのまま表示する場合（ステップＳ３６４：Ｎｏ）、制御部２０１は、全広告データに対して広告表示設定欄４０１の表示ボタン４０３が押下されたか判定する（ステップＳ３６６）。
【０１５９】
表示ボタン４０３が押下されると（ステップＳ３６６：Ｙｅｓ）、制御部２０１は、設定状態欄４０２を「表示」に切り替える（ステップＳ３６７）。その後、制御部２０１は、処理を次のステップＳ３６９（図１４参照）へ進める。
【０１６０】
一方、表示ボタン４０３が押下されなければ（ステップＳ３６６：Ｎｏ）、制御部２０１は、デフォルト設定のままと判断して処理を次のステップＳ３６９にすすめる。
【０１６１】
そして、図１４において、制御部２０１は、テストボタン４１７〜４５７のいずれかが押下されたか判定する（ステップＳ３６９）。テストボタン４１７〜４５７のいずれかが押下されると（ステップＳ３６９：Ｙｅｓ）、制御部２０１の指示により、記憶部２０２は、押下されたテストボタンに対応する広告データを読み出して、ＲＡＭ２０７に一時記憶する。そして、制御部２０１は、ＲＡＭ２０７から広告データを読み出して、外付けモニター１６１に一回テスト表示する（ステップＳ３７０）。
【０１６２】
テスト表示が終了すると、制御部２０１は、非表示ボタン４１６〜４５６のいずれかが押下されたか判定する（ステップＳ３７１）。非表示ボタン４１６〜４５６のいずれかが押下されると（ステップＳ３７１：Ｙｅｓ）、制御部２０１は、押下された非表示ボタンに対応する広告データの個別設定状態欄を「非表示」に切り替えて表示する（ステップＳ３７２）。
【０１６３】
その後、制御部２０１は、確定ボタン４６４が押下されたか判定する（ステップＳ３７３）。確定ボタン４６４が押下されると（ステップＳ３７３：Ｙｅｓ）、制御部２０１は、全ての設定入力が完了したものと判断し、制御部２０１の指示により、設定情報を記憶部２０２に記憶する。その後、制御部２０１は、設定受付処理を終了する。
【０１６４】
一方、確定ボタン４６４が押下されない場合（ステップＳ３７３：Ｎｏ）、制御部２０１は、設定が完了していないものとして、処理を図１３のステップＳ３６５まで戻す。
【０１６５】
なお、図１３のステップＳ３６５において、全広告データに対して非表示ボタン４０４が押下されると（ステップＳ３６５：Ｙｅｓ）、制御部２０１は、設定状態欄４０２を「非表示」に切り替える（ステップＳ３６８）。その後、制御部２０１は、処理を図１４のステップＳ３７３にすすめ、確定ボタン４６４が押下されたか判定する。
【０１６６】
また、図１４のステップＳ３６９において、テストボタン４１７〜４５７のいずれかが押下されなければ（ステップＳ３６９：Ｎｏ）、制御部２０１は、処理をステップＳ３７１にすすめ、非表示ボタン４１６が押下されたか判定する。
【０１６７】
また、ステップＳ３７１において、非表示ボタン４１６〜４５６いずれも押下されず（ステップＳ３７１：Ｎｏ）、かつ表示ボタン４１５〜４５５のいずれかが押下されると（ステップＳ３７４：Ｙｅｓ）、制御部２０１は、押下された表示ボタンに対応する広告データの個別設定状態欄を「表示」に切り替える（ステップＳ３７５）。その後、制御部２０１は、処理をステップＳ３７３にすすめ、確定ボタン４６４が押下されたか判定する。
【０１６８】
一方、表示ボタン４１５〜４５５のいずれかも押下されなければ（ステップＳ３７４：Ｎｏ）、制御部２０１は、処理をステップＳ３７３にすすめ、確定ボタン４６４が押下されたか判定する。  
このようにして全広告データ、あるいは各広告データに対して、表示、非表示の設定を行う。
【０１６９】
次に、写真シール作成装置１００において、実際に広告を外付けモニター１６１に表示する動作について図１６を用いて詳述する。  
なお、図１６は、広告表示処理の動作のフローチャートを示している。
【０１７０】
写真シール作成装置１００が撮影を受け付ける運用状態になると、制御部２０１は、広告表示部１６０の外付けモニター１６１に広告を表示する広告表示処理を実行する。
【０１７１】
広告表示処理を実行すると、制御部２０１は、外付けモニター１６１に写真シール作成装置１００のデモ画面を表示する（ステップＳ５０１）。
【０１７２】
このデモ画面は、写真シール作成装置１００の操作案内、新しいフレーム画像、スタンプ画像など編集用アイテムの情報画面、人気のフレーム画像などのランキングを示すランキング画面などで構成し、順番に外付けモニター１６１に表示していく。
【０１７３】
制御部２０１は、外付けモニター１６１にデモ画面を表示しながら、撮影ユニット１２０の撮影空間Ｓ内において利用者が撮影中かをタッチパネルモニター１２５への入力操作等から判定する（ステップＳ５０２）。
【０１７４】
撮影空間Ｓ内にて利用者がおらず、いつでも撮影可能な状態、あるいはもうすぐ撮影が完了して、次の利用者が入場できる状態にあれば（ステップＳ５０２：Ｙｅｓ）、制御部２０１は、空き情報画面あるいは順番待ちの利用者に準備を促す案内画面を外付けモニター１６１に表示する（ステップＳ５０３）。その後、制御部２０１は、処理をステップＳ５０４にすすめる。
【０１７５】
なお、ステップＳ５０２において、撮影空間Ｓ内において利用者が撮影中の場合（ステップＳ５０２：Ｎｏ）、制御部２０１は、処理をステップＳ５０４にすすめる。
【０１７６】
そして、制御部２０１は、外付けモニター１６１に表示するデモ画面が全て表示したかを判定する（ステップＳ５０４）。全てのデモ画面の表示が完了していなければ（ステップＳ５０４：Ｎｏ）、制御部２０１は、処理をステップＳ５０１に戻し、全てのデモ画面を表示し終わるまで繰り返す。
【０１７７】
一方、全てのデモ画面の表示が完了すると（ステップＳ５０４：Ｙｅｓ）、制御部２０１は、記憶部２０２から広告データを１つ選択して、広告データに関連づけて記憶している公開期間と、現在の日付とを比較判定する（ステップＳ５０５）。現在の日付が公開期間内であれば（ステップＳ５０５：Ｙｅｓ）、制御部２０１は、広告データが表示可と設定されているか判定する（ステップＳ５０６）。
【０１７８】
広告データの個別設定状態欄が「表示」に設定されていれば（ステップＳ５０６：Ｙｅｓ）、制御部２０１の指示により、記憶部２０２は、広告データを読み出して、ＲＡＭ２０７に一時記憶する。そして、制御部２０１は、ＲＡＭ２０７から広告データを呼び出して、外付けモニター１６１に表示する（ステップＳ５０７）。その後、制御部２０１は、広告表示処理を終了する。
【０１７９】
一方、ステップＳ５０５において、現在の日付が公開期間外であれば（ステップＳ５０５：Ｎｏ）、あるいはステップＳ５０６において、広告データの個別設定状態欄が「非表示」に設定されていれば（ステップＳ５０６：Ｎｏ）、制御部２０１は、記憶部２０２に記憶している別の広告データを選択する（ステップＳ５０８）。
【０１８０】
その後、制御部２０１は、処理をステップＳ５０５に戻して、現在の日付が、別の広告データの公開期間内か、表示可の設定となっているかを判定する。  
このようにして広告データに関連付けた公開期間と、設定情報とに基づいて広告データを外付けモニター１６１に表示する。また、この広告表示処理は、制御部２０１の指示により、繰り返し実行され、その都度表示する広告データを変更するものとする。
【０１８１】
次に、外付けモニター１６１に同一企業（Ａ企業）の２種類の広告データを表示し、利用者に好感度の高い広告の選択入力を求め、その結果をサーバー１０に一括送信する集計情報送信処理について、図１７及び図１８を用いて説明する。  
なお、図１７は、集計情報送信処理の動作を示すフローチャートを示し、図１８は、広告の好感度を選択入力する画面の広告比較画面５２０を示している。
【０１８２】
まず、写真シール作成装置１００の制御部２０１は、図１７に示すように、外付けモニター１６１に広告データを表示する（ステップＳ５１１）。この際、制御部２０１は、図１８のような広告比較画面５２０に２種類の広告データを表示する。
【０１８３】
この広告比較画面５２０は、上下２画面構成となっており、上段画面５２１には、Ａ企業の広告ＩＤ「ＣＭ００００１」の広告データを表示し、下段画面５２２には、Ａ企業の広告ＩＤ「ＣＭ００００２」の広告データを表示して、上段画面５２１と下段画面５２２の間には、「お好みの広告を選択してください」というメッセージを表示している。
【０１８４】
図１７に戻り、写真シール作成装置１００の制御部２０１は、外付けモニター１６１に広告比較画面５２０を表示すると、記憶部２０２に記憶している選択情報テーブル３３０の広告元「Ａ企業」の表示回数を１つ加算して「３３回」に修正登録する。
【０１８５】
その後、写真シール作成装置１００の制御部２０１は、利用者が外付けモニター１６１に表示した２種類の広告データの一方を選択した選択情報の入力有無を判定する（ステップＳ５１２）。
【０１８６】
利用者が広告データのどちらか一方を選択して選択情報の入力があると（ステップＳ５１２：Ｙｅｓ）、制御部２０１は、選択情報テーブル３３０の選択された広告データに該当する広告ＩＤの選択回数を１回加算して、選択割合を再計算し登録する（ステップＳ５１３）。
【０１８７】
例えば、図１８の広告比較画面５２０において、上段画面５２１に表示している広告ＩＤ「ＣＭ００００１」が利用者によって選択されると、制御部２０１は、選択情報テーブル３３０の広告ＩＤ「ＣＭ００００１」の選択回数を１つ加算して「９回」に修正登録する。そして、制御部２０１は、広告ＩＤ「ＣＭ００００１」と広告ＩＤ「ＣＭ００００２」の選択割合を再計算し、それぞれ「２７％」、「７３％」に修正登録する。
【０１８８】
利用者の選択に基づいて選択情報テーブル３３０を修正登録すると、制御部２０１は、サーバー１０から選択情報を集計した集計情報送信の要求有無を判定する（ステップＳ５１４）。サーバー１０から集計情報送信の要求がなければ（ステップＳ５１４：Ｎｏ）、制御部２０１は、処理をステップＳ５１１に戻す。
【０１８９】
一方、サーバー１０から集計情報送信の要求があれば（ステップＳ５１４：Ｙｅｓ）、制御部２０１は、全ての選択情報を集計した集計情報を作成する（ステップＳ５１５）。そして、制御部２０１は、作成した集計情報を通信回線５０を介してサーバー１０に送信する（ステップＳ５１６）。その後、制御部２０１は、集計情報送信処理を終了する。
【０１９０】
なお、ステップＳ５１２において、利用者がどちらの広告データも選択せず一定時間が経過する、あるいは広告表示処理による広告データの表示が行われている場合（ステップＳ５１２：Ｎｏ）、制御部２０１は、処理をステップＳ５１４にすすめ、サーバー１０から選択情報を集計した集計情報の送信の要求有無を判定する。
【０１９１】
このようにして、広告表示システム１は、利用者に好みの広告データの選択入力を要求し、利用者が選択した全ての選択情報を集計した集計情報を一括してサーバー１０に送信する。
【０１９２】
以上のように、通信回線５０に接続する通信部２０３と、広告を表示する広告表示部１６０と、各種設定にかかる設定情報を入力許容するタブレット内蔵モニター１３４と、各種情報を記憶する記憶部２０２と、各部を制御する制御部２０１とを備えた写真シール作成装置１００と、通信回線５０を介して写真シール作成装置１００と接続するサーバー１０とで構成した広告表示システム１であって、サーバー１０に、写真シール作成装置１００へ配信する広告データと、広告データの各種情報を示す広告属性情報とを関連付けて記憶する広告データ記憶部３０を備え、写真シール作成装置１００の制御部２０１に、新着広告データの有無をサーバー１０に問い合わせて、新着広告データがあれば、サーバー１０から新着広告データをダウンロードして、記憶部２０２に記憶する広告データ削除取得処理と、広告表示部１６０に広告属性情報に基づいて広告データを表示する広告表示処理とを備えたことにより、広告を適切に表示する広告表示システム１を提供することができる。
【０１９３】
具体的には、広告データ削除取得処理により、写真シール作成装置１００は、自動的にサーバー１０にアクセスして、サーバー１０の広告データ記憶部３０に記憶している複数の広告データから新着広告データを自動的にダウンロードすることができる。
【０１９４】
また、広告データ削除取得処理において、写真シール作成装置１００の記憶部２０２に記憶した設置属性情報テーブル３００に基づいて新着広告データの有無をサーバー１０に問い合わせて、サーバー１０から新着広告データを取得する構成としたことにより、写真シール作成装置１００は、サーバー１０の広告データ記憶部３０に記憶した全ての新着広告データを取得するのではなく、設置属性情報テーブル３００の主な利用客などに応じた適切な新着広告データを取得することができる。
【０１９５】
さらに、サーバー１０から適切な新着広告データを自動的に取得することにより、写真シール作成装置１００が新着広告データを取得するたびに、オペレーターが設置場所や利用者などによっては不適切となる広告データを表示するか否かを設定する手間を省くことができる。
【０１９６】
従って、写真シール作成装置１００は、その設置場所や主な利用者に応じた適切な新着広告データをサーバー１０から取得することができる。
【０１９７】
加えて、広告表示システム１は、不要な広告データの取得を防止するとともに、写真シール作成装置１００の記憶部２０２の限られた記憶容量を有効に活用することができる。
【０１９８】
また、写真シール作成装置１００の記憶部２０２に、外付けモニター１６１に表示した広告比較画面５２０で入力された選択情報を記憶し、写真シール作成装置１００の制御部２０１に、選択情報を集計した集計情報をサーバー１０に送信する集計情報送信処理を備えたことにより、複数の写真シール作成装置において、利用者が広告比較画面５２０で選択入力した広告データの選択情報を集計した集計情報を、サーバー１０で一括管理することができる。
【０１９９】
従って、設置場所などが異なる複数の写真シール作成装置１００において利用者が選択した選択情報を一括管理して、利用者の違いによる広告データの好感度の違いなどを分析し、より効果的な広告データの表示に反映することができる。
【０２００】
そして、広告表示処理により、ダウンロードした広告データを表示することができる。
【０２０１】
また、広告データ削除取得処理において、広告データに関連付けられた公開期間に基づいて、公開期間を過ぎていれば、広告データを自動的に削除することにより、広告表示システムは、記憶部２０２に記憶している広告データのうち、公開期間を過ぎた広告データを自動的に削除することができる。
【０２０２】
さらに、写真シール作成装置１００の記憶部２０２の限られた記憶容量を有効に活用できるとともに、オペレーターが公開期間を確認して手動で削除するという手間を省くことができる。
【０２０３】
従って、例えば、セールなどの期間限定の広告が、その期間を過ぎても表示されるようなおそれを防止することができる。すなわち、広告表示システム１は、公開期間にしたがって適切に広告データを広告表示部１６０に表示することができる。
【０２０４】
また、広告データ設定受付処理において、写真シール作成装置１００のタブレット内蔵モニター１３４に表示した広告データ設定画面４００で、広告データを広告表示部１６０に表示するか否かの表示情報を入力許容し、写真シール作成装置１００の制御部２０１に、入力された表示情報を受け付けて記憶部２０２に記憶することにより、オペレーターは、複数の広告データから写真シール作成装置１００を設置している場所や利用者層などに応じて、最も広告効果が得られそうな広告データを適宜選択することができる。
【０２０５】
そして、広告表示システム１は、写真シール作成装置１００の記憶部２０２に記憶した表示可能な広告データのみを表示することができる。
【０２０６】
例えば、女性の利用者が多い店舗であれば、化粧品など女性が関心を持つ広告データを選択して、広告表示部１６０に表示することができる。あるいは、未成年の利用者が多い店舗であれば、アルコール類やタバコなど未成年には不適切な広告を非表示とする、交通事故などに関する注意広告などを表示することもできる。
【０２０７】
従って、広告表示システム１は、設置場所や利用者層に応じた広告データを広告表示部１６０に表示することができる。
【０２０８】
さらに、広告データ設定受付処理において、写真シール作成装置１００のタブレット内蔵モニター１３４に表示した広告データ設定画面４００で、広告データを広告表示部１６０にテスト表示するか否かのテスト表示情報を入力許容し、入力されたテスト表示情報を受け付けて広告データを広告表示部１６０にテスト表示することにより、オペレーターは、広告データの表示あるいは非表示を選択する際、一度テスト表示してから選択することができる。
【０２０９】
そして、写真シール作成装置１００の利用者層の関心を引くような広告が、あやまって非表示とされるおそれを防止することができる。逆に、利用者層にミスマッチな広告が表示されるおそれを防止することができる。
【０２１０】
従って、広告表示システム１は、より写真シール作成装置１００の設置場所や利用者層に応じた広告データを表示することができる。
【０２１１】
加えて、広告データ設定受付処理において、広告データに関連付けられた公開期間に基づいて、公開期間前であれば、オペレーターによる入力操作を拒否する入力拒否設定を行うことにより、広告表示システム１は、公開期間前の広告データを広告表示部１６０に表示することだけでなく、表示あるいは非表示の設定選択やテスト表示の選択など全ての操作を受け付けないようにすることができる。そして、オペレーターは、この広告データが公開期間前であることを容易に認識することができる。
【０２１２】
従って、公開期間前の広告データの事前配信、受信が可能であるとともに、テスト表示も許容しないことで、不正な方法で公開期間前の広告データが流出するようなことを防止することができる。
【０２１３】
また、広告表示処理において、写真シール作成装置１００の記憶部２０２に広告データに関連付けて記憶した公開期間に基づいて、公開期間前の広告データを広告表示部１６０に自動的に表示しないことにより、広告表示システム１は、公開期間前の広告データも自動的にダウンロードすることができ、かつ公開期間前に広告表示部１６０に表示することができない。すなわち、広告データの事前配信が可能となるとともに、サーバー１０から自動的にダウンロードした広告データが、広告配信元が定めた公開開始前にあやまって公開されるおそれを防止できる。
【０２１４】
従って、広告表示システム１は、広告データを事前に配信、ダウンロードして、適切な公開期間に広告データを表示することができる。
【０２１５】
また、通信回線５０に接続する通信部２０３と、広告を表示する広告表示部１６０と、各種設定にかかる設定情報を入力許容するタブレット内蔵モニター１３４と、各種情報を記憶する記憶部２０２と、各部を制御する制御部２０１とを備えた写真シール作成装置１００と、通信回線５０を介して写真シール作成装置１００と接続するサーバー１０とで構成した広告表示システム１を用いて、サーバー１０の広告データ記憶部３０で、写真シール作成装置１００へ配信する広告データと、広告データの公開期間とを関連付けて記憶し、写真シール作成装置１００の制御部２０１において、広告データ削除取得処理により、新着広告データの有無を前記サーバーに問い合わせて、新着広告データがあれば、サーバーから新着広告データをダウンロードして、記憶部２０２に記憶し、広告表示処理により、広告データに関連付けられた公開期間に基づいて、広告表示部１６０に広告データを表示する広告表示方法としたことにより、広告データを適切に表示する広告表示方法を提供することができる。
【０２１６】
また、通信回線５０に接続する通信部２０３と、広告を表示する広告表示部１６０と、各種設定にかかる設定情報を入力許容するタブレット内蔵モニター１６０と、各種情報を記憶する記憶部２０２と、各部を制御する制御部２０１とを備えた写真シール作成装置１００と、写真シール作成装置１００へ配信する広告データと、広告データの公開期間とを関連付けて記憶する広告データ記憶部３０を備え、通信回線５０を介して写真シール作成装置１００と接続するサーバー１０とで構成した広告表示システム１を用いて、写真シール作成装置１００の制御部２０１に、新着広告データの有無をサーバー１０に問い合わせて、新着広告データがあれば、サーバー１０から新着広告データをダウンロードして、記憶部２０２に記憶するステップと、広告データに関連付けられた公開期間に基づいて、広告表示部１６０に広告データを表示するステップとを実行させる広告表示プログラムとしたことにより、広告を適切に表示する広告表示プログラムを提供することができる。
【０２１７】
具体的には、広告表示プログラムは、ＣＤ−ＲＯＭやＤＶＤ−ＲＯＭなどの記憶媒体、サーバーからのダウンロード、あるいは写真シール作成装置１００に組み込まれて提供することができる。  
また、広告表示プログラムは、写真シール作成装置１００のHDDなどの記憶部２０２に記憶して実行することができる。
【０２１８】
なお、本実施形態では、設置属性情報テーブル３００の各項目は、写真シール作成装置１００の設置場所や利用者など運用実績を把握するものであるから、これに限定せず適宜設定してもよい。
【０２１９】
また、選択情報テーブル３３０は、利用者に選択入力させたい内容によって、適宜構成を変更してもよい。  
また、広告データに関連付けている各種情報は、広告データの識別、あるいは表示制御に関するパラメーターであることから、これに限定せず適宜設定してもよい。
【０２２０】
また、分類属性情報及び頻度属性情報は、サーバー１０から取得して写真シール作成装置１００の記憶部２０２に記憶している広告データに、オペレーターによって設定入力して記憶してもよい。
【０２２１】
また、写真シール作成装置１００がサーバー１０に新着広告データを問い合わせるタイミングを、写真シール作成装置１００の電源投入後としたが、これに限らず毎日決まった時間に実行するようにしてもよい。もしくは、広告データをサーバー１０から定期的に配信する、ＤＶＤ−ＲＯＭなどの記憶媒体で配信するようにしてもよい。
【０２２２】
また、広告データ削除取得処理において、主な利用客層に基づいてサーバー１０から新着広告データを取得したが、これに限らず、設置場所などに基づいてもよい、あるいは設置場所や利用客層などを複数組み合わせた条件に基づいて新着広告データを取得してもよい。
【０２２３】
また、写真シール作成装置１００の制御部２０１で、記憶部２０２に記憶した広告データの公開期間と現在の日付とを比較判定して、広告データが公開可能か判定したが、サーバー１０に問い合わせて、広告データが公開可能か判定するようにしてもよい。
【０２２４】
この場合、例えば、広告データ削除取得処理において、写真シール作成装置１００がサーバー１０に公開期間を問い合わせて、サーバー１０で現在の日付と公開期間とを比較判定し、その判定結果を写真シール作成装置１００に送信する。そして、写真シール作成装置１００の制御部２０１は、判定結果に基づいて記憶部２０２に記憶している公開期間を経過した広告データを自動的に削除する。
【０２２５】
また、広告データは、予め暗号化しておき、公開期間になると暗号を解除する、あるいは写真シール作成装置１００においてパスワードを入力することによって暗号を解除するようにしてもよい。
【０２２６】
このようにすることで、写真シール作成装置１００の日付設定を変更して、不正に広告データを閲覧、表示することを防止することができる。さらに、サーバー１０側で公開期間を一括して管理設定することができる。  
なお、広告データの公開期間のエンド期日を設けないなどして、広告データが自動的に削除されないようにしてもよい。
【０２２７】
また、広告データ設定受付処理において、公開期間に基づいて広告データへの入力拒否設定を行ったが（図１３のステップＳ３６１〜Ｓ３６３参照）、これを広告データ削除取得処理において行うようにしてもよい。この場合、広告データ設定受付処理を実行すると、最初に広告データ設定画面４００を表示することができる（図１３中のステップＳ３６４参照）。
【０２２８】
また、広告データ設定画面４００をタブレット内蔵モニター１３４に表示したが、これに限定せず外付けモニター１６１に表示する、タッチパネルモニター１２５に表示する、メンテナンス扉１３９内に設けた専用端末に表示するなどとすることができる。
【０２２９】
さらに、広告データ設定画面４００をいずれかのモニターに表示する設定入力モードに切替える機器は、メンテナンス扉１３９内に限らず、前方ユニット１２１の硬貨投入返却口１２７の扉内、広告表示部１６０下部の扉内などに配置することができ、広告データ設定画面４００を表示するモニターと自由に組み合わせた形態で運用することができる。  
また、広告データは、外付けモニター１６１だけでなく、タブレット内蔵モニター１３４やタッチパネルモニター１２５に表示してもよい。
【０２３０】
また、設置属性情報テーブル３００は、写真シール作成装置１００の記憶部２０２に記憶したが、これに限らすサーバー１０の広告データ記憶部３０に記憶してもよい。  
この場合、設置属性情報テーブル３００は、機器ＩＤ、設置場所、時間帯及び主な利用者などの情報を複数台の写真シール作成装置分登録可能な構成とする。
【０２３１】
そして、例えば、図１２の広告データ削除取得処理のステップＳ３４４において、写真シール作成装置１００の制御部２０１は、サーバー１０の広告データ記憶部３０に新着広告データが記憶されているかサーバー１０に問い合わせる問合せ情報を、通信回線５０を介してサーバー１０に送信する。なお、制御部２０１は、問合せ情報に写真シール作成装置１００の機器ＩＤを関連付けてサーバー１０に送信する。
【０２３２】
問合せ情報をサーバー１０が受信すると、サーバー１０の制御部２０は、問合せ情報を送信した写真シール作成装置１００の機器ＩＤをもとに、広告データ記憶部３０に記憶している設置属性情報テーブル３００の該当する機器ＩＤの主な利用客層の項目を参照して、主な利用客層が「女性」であると判断する。
【０２３３】
さらに、サーバー１０の制御部２０は、複数の広告データのうち、分類属性情報が「女性向け」である広告データを検索して新着広告データの有無を確認する。その後、新着広告データの有無に応じた応答情報を、通信回線５０を介して写真シール作成装置１００に送信するようにしてもよい。
【０２３４】
このように、設置属性情報テーブル３００を複数の写真シール作成装置１００の機器ＩＤ、設置場所、時間帯及び主な利用者などの情報を登録可能な構成とし、写真シール作成装置１００の広告データ削除取得処理を、新着広告データの有無をサーバー１０に問い合わせて、サーバー１０において、広告データ記憶部３０に記憶された設置属性情報テーブル３００に基づいて、写真シール作成装置の機器ＩＤに応じて選択された新着広告データをサーバー１０から取得する構成としたことにより、写真シール作成装置１００は、その設置場所や時間帯に応じて利用者が関心を持つような広告データをサーバー１０から取得することができる。
【０２３５】
さらに、例えば、複数台の写真シール作成装置を設置している店舗において、店舗単位の設置属性情報テーブル３００をサーバー１０で一括管理すれば、店舗に設置している全ての写真シール作成装置で設置属性情報テーブル３００を共用することができる。
【０２３６】
従って、オペレーターが写真シール作成装置１台１台設定する手間を省くことができる。さらに、写真シール作成装置１００を入れ替えたりしても、オペレーターが設置属性情報テーブル３００を再設定する手間を省き、すぐに写真シール作成装置１００を稼働することができる。
【０２３７】
なお、外付けモニター１６１に上下２画面構成とした広告比較画面５２０を表示したが、２画面以上の構成であってもよい。さらに、広告比較画面５２０を用いて広告データの好感度を調査したが、これに限定にせず選択回答式のアンケートなどとしてもよい。
【実施例２】
【０２３８】
本実施形態の広告表示処理において、利用者が選択した撮影コースに基づいて広告データを選択し、編集ユニット１３０のタブレット内蔵モニター１３４に表示する例について図１９を用いて説明する。  
なお、図１９は、実施例２における広告表示処理の動作のフローチャートを示している。
【０２３９】
また、写真シール作成装置１００の外観、広告表示システム１のブロック構成、及び広告データ削除取得処理、広告データ設定受付処理は、上述した実施例１と同じなので詳しい説明を省略する。
【０２４０】
ただし、撮影ユニット１２０のタッチパネルモニター１２５には、撮影時に選択可能な撮影コース選択ボタン（図示省略）を表示している。この撮影コース選択ボタンは、肌の写真写りを調整する「美肌コース」、利用者に合わせて背景画像や装飾を変更する「ファミリーコース」や「カップルコース」の３種類で構成され、利用者が適宜選択入力することができる。
【０２４１】
まず、写真シール作成装置１００の制御部２０１は、図１９に示すように、広告表示処理を開始すると、撮影ユニット１２０の撮影空間Ｓ内において利用者が撮影中かをタッチパネルモニター１２５への入力操作等から判定する（ステップＳ６０１）。
【０２４２】
撮影空間Ｓ内で利用者が撮影中でなければ（ステップＳ６０１：Ｎｏ）、制御部２０１は、処理をステップＳ６０１に戻す。一方、撮影空間Ｓ内で利用者が撮影中であれば（ステップＳ６０１：Ｙｅｓ）、制御部２０１は、利用者が選択した撮影コースを判別する（ステップＳ６０２）。
【０２４３】
ここで、利用者が「美肌コース」を選択していると（ステップＳ６０２：１）、制御部２０１は、利用者が女性客であると判定する（ステップＳ６０３）。そして、制御部２０１は、記憶部２０２に記憶している設置属性情報テーブル３００の時間帯別利用客層の項目のうち、撮影時間に対応する「女性」の欄の数値を１つ加算して登録するフィードバック処理を行う（ステップＳ６０６）。
【０２４４】
さらに、制御部２０１は、記憶部２０２に記憶している複数の広告データのうち、分類属性情報が「女性向け」となっている広告データを１つ選択する（ステップＳ６０７）
その後、制御部２０１は、広告データに関連づけて記憶している公開期間と、現在の日付との比較判定、及び広告データが表示可と設定されているかを判定する（ステップＳ６０８）。現在の日付が公開期間内で、かつ広告データの個別設定状態欄が「表示」に設定されていれば（ステップＳ６０８：Ｙｅｓ）、制御部２０１は、撮影が終了したかを判定する（ステップＳ６０９）。
【０２４５】
撮影が終了すると（ステップＳ６０９：Ｙｅｓ）、制御部２０１の指示により、記憶部２０２は、広告データを読み出して、ＲＡＭ２０７に一時記憶する。そして、制御部２０１は、ＲＡＭ２０７から広告データを呼び出して、編集ユニット１３０のタブレット内蔵モニター１３４に表示する（ステップＳ６１０）。その後、制御部２０１は、広告表示処理を終了する。
【０２４６】
なお、ステップＳ６０８において、現在の日付が公開期間外であり、かつ広告データの個別設定状態欄が「非表示」に設定されている場合、現在の日付が公開期間外である、もしくは広告データの個別設定状態欄が「非表示」に設定されている場合（ステップＳ６０８：Ｎｏ）、制御部２０１は、分類属性情報が「女性向け」となっている別の広告データを記憶部２０２から１つ選択する（ステップＳ６１１）。
【０２４７】
その後、制御部２０１は、処理をステップＳ６０８に戻して、現在の日付が、別の広告データの公開期間内か、表示可の設定となっているかを判定する。
【０２４８】
また、ステップＳ６０９において、撮影が終了していなければ（ステップＳ６０９：Ｎｏ）、制御部２０１は、処理をステップＳ６０９に戻し、撮影が終了するまで次のステップへ進むのを待機する。
【０２４９】
また、ステップＳ６０２において、利用者が「ファミリーコース」を選択していると（ステップＳ６０２：２）、制御部２０１は、利用者がファミリー客であると判定する（ステップＳ６０４）。
【０２５０】
そして、制御部２０１は、記憶部２０２に記憶している設置属性情報テーブル３００の時間帯別利用客層の項目のうち、撮影時間に対応する「家族」の欄の数値を１つ加算して登録するフィードバック処理を行う（ステップＳ６０６）。
【０２５１】
さらに、制御部２０１は、記憶部２０２に記憶している複数の広告データのうち、分類属性情報が「ファミリー向け」となっている広告データを１つ選択する（ステップＳ６０７）
また、ステップＳ６０２において、利用者が「カップルコース」を選択していると（ステップＳ６０２：３）、制御部２０１は、利用者がカップル客であると判定する（ステップＳ６０５）。
【０２５２】
そして、制御部２０１は、記憶部２０２に記憶している設置属性情報テーブル３００の時間帯別利用客層の項目のうち、撮影時間に対応する「カップル」の欄の数値を１つ加算して登録するフィードバック処理を行う（ステップＳ６０６）。
【０２５３】
さらに、制御部２０１は、記憶部２０２に記憶している複数の広告データのうち、分類属性情報が「カップル向け」となっている広告データを１つ選択する（ステップＳ６０７）
このようにして広告データに関連付けた分類属性情報と、設置属性情報テーブル３００と、利用者が選択した撮影コースに基づいて広告データをタブレット内蔵モニター１３４に表示することにより、広告を適切に表示する広告表示システム１を提供することができる。
【０２５４】
具体的には、写真シール作成装置１００に、利用者が操作して撮影コースの選択入力を入力許容する撮影コース選択ボタンを備え、写真シール作成装置１００の制御部２０１に、撮影コース選択ボタンで入力した撮影コースから利用者層を判別することにより、写真シール作成装置１００は、利用者が選択した撮影コースによって、利用者が女性か、カップルかなどの利用者層を判別することができる。
【０２５５】
また、広告表示処理を、利用者層に基づいて選択した広告データをタブレット内蔵モニター１３４に表示する構成としたことにより、写真シール作成装置１００は、写真シール作成装置１００の利用者に対して、撮影終了後、編集ユニット１３０で編集可能になるまでの待ち時間や、写真シール出力の待ち時間に退屈しないように、利用者層に基づいて利用者が関心を持ちそうな適切な広告データを選択し、タブレット内蔵モニター１３４に表示することができる。
【０２５６】
従って、写真シール作成装置１００のタブレット内蔵モニター１３４に、利用者が関心を持たないような広告を表示するおそれがなく、利用者が関心を持つような広告を適切に表示することで、より広告効果を得ることができる。
【０２５７】
また、写真シール作成装置１００の制御部２０１に、利用者層に基づいて設置属性情報テーブル３００を修正登録するフィードバック処理を備えたことにより、設置属性情報テーブル３００を、実際の利用実績に基づいて自動的に修正登録することができる。
【０２５８】
さらに、設置属性情報テーブル３００には、利用実績が蓄積されるので、広告表示システム１は、より利用者層に応じた適切な広告データを選択して表示することができる。
【０２５９】
なお、撮影コースは、上述したコースに限らず、写真シール作成装置１００のタッチパネルモニター１２５で入力操作可能な様々撮影コースとすることができる。さらに、利用者層の判別条件は、複数の撮影コースのうち単一のコースで判別してもよいし、複数の撮影コースを組み合わせて判別してもよい。
【実施例３】
【０２６０】
本実施形態の広告表示処理において、広告データに関連付けて記憶している頻度属性情報に基づいて広告データを外付けモニター１６１に表示する例について図２０を用いて説明する。  
なお、図２０は、実施例３における広告表示処理の動作のフローチャートを示している。
【０２６１】
また、写真シール作成装置１００の外観及び構成、広告表示システム１のブロック構成は、上述した実施例１と同じなので詳しい説明を省略する。  
また、広告データは、外付けモニター１６１に１回表示されるたびにＲＡＭ２０７内に、広告ＩＤに関連付けて表示回数を記憶するものとする。
【０２６２】
なお、実施例１の広告データ削除取得処理のステップＳ３４４（図１２参照）において、写真シール作成装置１００の制御部２０１は、設置属性情報テーブル３００に基づいて新着広告データをサーバー１０に問い合わせたが、実施例３では、設置属性情報テーブル３００に関わらず全ての新着広告データを取得するものとする。
【０２６３】
まず、写真シール作成装置１００の制御部２０１は、図２０に示すように、広告表示処理を開始すると、外付けモニター１６１にデモ画面や空き案内画面などを表示する（ステップＳ６２１）。このステップＳ６２１は、実施例１のステップＳ５０１からＳ５０４（図１６参照）と同一処理なので詳しい説明は省略する。
【０２６４】
デモ画面の表示が終了すると、制御部２０１は、記憶部２０２に記憶している複数の広告データから広告データを１つ選択する（ステップＳ６２２）。広告データを選択する際、制御部２０１は、設置属性情報テーブル３００の時間帯別利用客層の項目を参照して、現時刻における最も多い利用者層に基づいて広告データを１つ選択する。
【０２６５】
例えば、現時刻が１９：００である場合、制御部２０１は、設置属性情報テーブル３００の時間帯別利用客層の項目を参照し、現時刻における主な利用者が「女性」であると判断する。そして、制御部２０１は、記憶部２０２に記憶している複数の広告データのうち、分類属性情報が「女性向け」である広告データの１つを選択する。
【０２６６】
その後、制御部２０１は、ＲＡＭ２０７内に記憶している選択した広告データの表示回数や全ての広告データの表示回数に基づいて、選択した広告データの表示頻度を計算する（ステップＳ６２３）。選択した広告データの表示頻度を計算すると、制御部２０１は、選択した広告データの頻度属性情報の表示頻度を読み取り、計算結果と比較する（ステップＳ６２４）。
【０２６７】
計算した表示頻度が頻度属性情報の表示頻度と同等であれば（ステップＳ６２４：Ｙｅｓ）、制御部２０１は、処理を次のステップへ進める。
【０２６８】
その後、制御部２０１は、広告データに関連づけて記憶している公開期間と、現在の日付とを比較判定する（ステップＳ６２５）。現在の日付が公開期間内であれば（ステップＳ６２５：Ｙｅｓ）、制御部２０１は、広告データが表示可と設定されているか判定する（ステップＳ６２６）。
【０２６９】
広告データの個別設定状態欄が「表示」に設定されていれば（ステップＳ６２６：Ｙｅｓ）、制御部２０１の指示により、記憶部２０２は、広告データを読み出して、ＲＡＭ２０７に一時記憶する。そして、制御部２０１は、ＲＡＭ２０７から広告データを呼び出して、外付けモニター１６１に表示する（ステップＳ６２７）。その後、制御部２０１は、広告表示処理を終了する。
【０２７０】
一方、ステップＳ６２４において、計算した表示頻度が頻度属性情報の表示頻度と同等でなければ（ステップＳ６２４：Ｎｏ）、またはステップＳ６２５において、現在の日付が公開期間外であれば（ステップＳ６２５：Ｎｏ）、あるいはステップＳ６２６において、広告データの個別設定状態欄が「非表示」に設定されていれば（ステップＳ６２６：Ｎｏ）、制御部２０１は、分類属性情報が「女性向け」となっている別の広告データを記憶部２０２から１つ選択する（ステップＳ６２８）。
【０２７１】
その後、制御部２０１は、処理をステップＳ６２３に戻して、別の広告データの表示頻度を計算し、計算した表示頻度が頻度属性情報の表示頻度と同等か、現在の日付が別の広告データの公開期間内か、表示可の設定となっているかを判定する。
【０２７２】
このようにして、設置属性情報テーブル３００に基づいて選択した広告データを、頻度属性情報に基づいて表示することにより、広告を適切に表示する広告表示システム１を提供することができる。
【０２７３】
具体的には、広告表示処理を、写真シール作成装置１００の記憶部２０２に記憶した設置属性情報テーブル３００に基づいて選択した広告データを外付けモニター１６１に表示する構成としたことにより、写真シール作成装置１００は、設置属性情報テーブル３００の時間帯別利用者層に応じた適切な広告データを選択して、広告表示部に表示することができる。
【０２７４】
また、広告表示処理を、頻度属性情報に基づいて広告データを外付けモニター１６１に表示する構成としたことにより、写真シール作成装置１００は、表示可能な全ての広告データを均等な頻度で表示するのではなく、頻度属性情報に基づいて広告データを表示する頻度を変更することができる。
【０２７５】
例えば、ある製品を大々的に宣伝したい場合、頻度属性情報の表示頻度を高くすることにより、この製品の広告データを外付けモニター１６１に頻繁に表示することができる。  
従って、写真シール作成装置１００は、広告データの重要度などに応じて広告データを適宜、外付けモニター１６１に表示することができる。
【０２７６】
なお、頻度属性情報は、広告料に応じた表示頻度、広告の人気度に応じた表示頻度などとすることができる。  
また、ステップＳ６２２において、制御部２０１が記憶部２０２から広告データを選択する際、制御部２０１は、設置属性情報テーブル３００の時間帯別利用者層を参照したが、これに限定せず設置属性情報テーブル３００の他の情報に基づいて広告データを選択してもよい。
【０２７７】
この発明の構成と、上述の実施形態との対応において、
この発明の回線接続部は、実施形態の通信部２０３に対応し、
以下同様に、
設定入力部は、広告データ設定画面４００に対応し、
設置属性情報は、機器ＩＤ、設置場所、主な利用客層、利用客数、時間帯別利用客層に対応し、
利用者層は、女性、家族、カップルに対応し、
モード選択入力部は、撮影コース選択ボタンに対応し、
撮影モードは、美肌コース、ファミリーコース、カップルコースに対応し、
選択入力部は、広告比較画面５２０に対応し、
広告データ取得処理は、ステップＳ３４４〜ステップＳ３４６に対応し、
広告表示処理は、ステップＳ５０５に対応し、
利用者層判別処理は、ステップＳ６０２〜ステップＳ６０５に対応し、
フィードバック処理は、ステップＳ６０６に対応し、
集計情報送信処理は、ステップＳ５１４〜ステップＳ５１６に対応するが、
この発明は、上述の実施形態の構成のみに限定されるものではなく、多くの実施の形態を得ることができる。
【０２７８】
例えば、実施例１の集計情報送信処理において得られた広告データの好感度結果を、実施例３の頻度属性情報に反映させてもよい。そうすると、利用者の好感が高い広告データを頻繁に表示することができ、より利用者に関心を持ってもらうことができる。
【０２７９】
このように、上述の実施例１から実施例３を適宜組み合わせた広告表示システム１としてもよい。なお、実施例１から実施例３を全て組み合わせた広告表示システム１であってもよい。
【符号の説明】
【０２８０】
１…広告表示システム
１０…サーバー
３０…広告データ記憶部
５０…通信回線
１００…写真シール作成装置
１６０…広告表示部
２０１…制御部
２０２…記憶部
２０３…通信部
３２０…広告属性情報
３２４…頻度属性情報
３３０…設置属性情報テーブル
４００…広告データ設定画面
５２０…広告比較画面
【図１】
0005418513.tif 000002
【図２】
0005418513.tif 000003
【図３】
0005418513.tif 000004
【図４】
0005418513.tif 000005
【図５】
0005418513.tif 000006
【図６】
0005418513.tif 000007
【図７】
0005418513.tif 000008
【図８】
0005418513.tif 000009
【図９】
0005418513.tif 000010
【図１０】
0005418513.tif 000011
【図１１】
0005418513.tif 000012
【図１２】
0005418513.tif 000013
【図１３】
0005418513.tif 000014
【図１４】
0005418513.tif 000015
【図１５】
0005418513.tif 000016
【図１６】
0005418513.tif 000017
【図１７】
0005418513.tif 000018
【図１８】
0005418513.tif 000019
【図１９】
0005418513.tif 000020
【図２０】
0005418513.tif 000021